(57)【要約】【課題】機器の着脱作業を容易に行うことができる着脱機構を提供する。【解決手段】第１機器１０と第２機器２０とを着脱するための着脱機構である。着脱機構は、第１機器１０に設けられる第１ガイドレール３０と、第２機器２０に設けられ、第１ガイドレール３０の端部から挿入し第１ガイドレール３０に沿ってスライドさせていくことにより第１ガイドレール３０と接続される第２ガイドレール４０と、第１機器１０に設けられ、第２ガイドレールをスライドさせる際に負荷を与えるように第２ガイドレール４０を押圧する押圧部３４と、を備える。第２ガイドレール４０には、第１ガイドレール３０に沿って第２ガイドレール４０をスライドさせていく過程で、押圧部３４により押圧される被押圧部４３ａ、４３ｂと、被押圧部４３ａ、４３ｂよりも窪んだ部分であり押圧部３４が接触しない凹部５１と、が形成されている。【選択図】図４
2019168503.tif 000002
【特許請求の範囲】
【請求項１】
第１機器と第２機器とを着脱するための着脱機構であって、
前記第１機器に設けられる第１ガイドレールと、
前記第２機器に設けられ、前記第１ガイドレールの端部から挿入し該第１ガイドレールに沿ってスライドさせていくことにより該第１ガイドレールと接続される第２ガイドレールと、
前記第１機器に設けられ、前記第２ガイドレールをスライドさせる際に負荷を与えるように該第２ガイドレールを押圧する押圧部と、を備え、
前記第２ガイドレールには、前記第１ガイドレールに沿って該第２ガイドレールをスライドさせていく過程で、前記押圧部により押圧される被押圧部と、前記被押圧部よりも窪んだ部分であり前記押圧部が接触しない凹部とが形成されている、
ことを特徴とする着脱機構。
【請求項２】
前記押圧部は、弾性材料から形成された突起部である、
ことを特徴とする請求項１に記載の着脱機構。
【請求項３】
前記押圧部は、前記第１ガイドレールの両端に設けられている、
ことを特徴とする請求項１又は２に記載の着脱機構。
【請求項４】
前記被押圧部は、前記第１ガイドレールと前記第２ガイドレールとが接続されたときに、前記第１ガイドレールの両端に設けられたそれぞれの前記押圧部に対応する位置に設けられており、
前記凹部は、前記被押圧部間に設けられている、
ことを特徴とする請求項３に記載の着脱機構。
【請求項５】
前記第１機器及び前記第２機器のうちの一方の機器に設けられ、前記第１ガイドレールと前記第２ガイドレールとが接続された状態を維持する固定部材を備える、
ことを特徴とする請求項１乃至４のいずれか１項に記載の着脱機構。
【請求項６】
前記固定部材は、弾性部材により前記一方の機器から突出する方向に付勢されている、
ことを特徴とする請求項５に記載の着脱機構。
【請求項７】
前記第１機器及び前記第２機器のうちの他方の機器に設けられ、前記第１ガイドレールと前記第２ガイドレールとが接続されたときに前記固定部材が嵌合する嵌合部を備える、
ことを特徴とする請求項５又は６に記載の着脱機構。
【請求項８】
前記第２ガイドレールは、前記第１ガイドレールの両端部から挿入可能であり、
挿入させた前記第２ガイドレールを、該第１ガイドレールに沿ってスライドさせることで該第１ガイドレールと接続させることができる、
ことを特徴とする請求項１乃至７のいずれか１項に記載の着脱機構。
【請求項９】
請求項１乃至８のいずれか１項に記載の着脱機構を備える撮像装置であり、
前記第１機器は、撮像部及び前記撮像部を操作するための操作部のうちの一方であり、
前記第２機器は、前記撮像部及び前記操作部のうちの他方である、
ことを特徴とする撮像装置。
【請求項１０】
前記着脱機構によって、前記操作部が前記撮像部に第１状態で取り付けられているか、あるいは、前記操作部が前記第１状態とは反対の方向を向いた第２状態で前記撮像部に取り付けられているか、を検出するスイッチを備える、
ことを特徴とする請求項９に記載の撮像装置。
【発明の詳細な説明】
【技術分野】
【０００１】
本発明は、機器を着脱するための着脱機構、及び着脱機構を備えた撮像装置に関する。
【背景技術】
【０００２】
分離した機器を連結する機構として、例えば特許文献１は、可動スライダを電子機器の案内部材として機能させ、電子機器を相互に隣接する位置で連結する機構を開示している。
【先行技術文献】
【特許文献】
【０００３】
【特許文献１】特開２０１３−１１５４１９号公報
【発明の概要】
【発明が解決しようとする課題】
【０００４】
特許文献１に開示された機構を用いた連結は、可動スライダに形成した弾性片部のガイド用凸部が、相対する装置に形成されたガイド用凹部に嵌りこむことにより実現される。一方、連結された機器を分離するには、可動スライダを手作業で強制的に変形させる必要があり、連結した機器の分離を容易に行えなかった。
【０００５】
本発明は、このような問題点に着目してなされたもので、機器の着脱作業を容易に行うことができる着脱機構、及びこの着脱機構を備えた撮像装置を提供することを目的とする。
【課題を解決するための手段】
【０００６】
上記目的を達成するため、本発明の着脱機構は、
第１機器と第２機器とを着脱するための着脱機構であって、
前記第１機器に設けられる第１ガイドレールと、
前記第２機器に設けられ、前記第１ガイドレールの端部から挿入し該第１ガイドレールに沿ってスライドさせていくことにより該第１ガイドレールと接続される第２ガイドレールと、
前記第１機器に設けられ、前記第２ガイドレールをスライドさせる際に負荷を与えるように該第２ガイドレールを押圧する押圧部と、を備え、
前記第２ガイドレールには、前記第１ガイドレールに沿って該第２ガイドレールをスライドさせていく過程で、前記押圧部により押圧される被押圧部と、前記被押圧部よりも窪んだ部分であり前記押圧部が接触しない凹部とが形成されている、
ことを特徴とする。
【０００７】
上記目的を達成するため、本発明の撮像装置は、
上記の特徴を有する着脱機構を備える撮像装置であり、
前記第１機器は、撮像部及び前記撮像部を操作するための操作部のうちの一方であり、
前記第２機器は、前記撮像部及び前記操作部のうちの他方である、
ことを特徴とする。
【発明の効果】
【０００８】
本発明によれば、機器の着脱作業を容易に行うことができる着脱機構、及びこの着脱機構を備えた撮像装置を提供することができる。
【図面の簡単な説明】
【０００９】
【図１】本発明を適用したカメラの図であり、風景撮り状態にあるカメラの斜視図。
【図２】本発明を適用したカメラの図であり、自撮り状態にあるカメラの斜視図。
【図３】図１中の矢印ＩＩＩから見たカメラの側面図。
【図４】図３中の切断線ＩＶ−ＩＶで切断したカメラの断面図。
【図５】図３中の矢印Ｖからみたカメラ部の着脱機構に着目した斜視図。
【図６】図３中の矢印ＶＩからみた操作部の着脱機構に着目した斜視図。
【図７】図６中の矢印ＶＩＩからみた操作部の図。
【図８】固定部材の動作を説明するための図であり（ａ）は固定部材の突出部が押圧されて引っ込んだ状態にあるときの図、（ｂ）はリリースボタンが押圧されて固定部材が引っ込んだ状態にある時の図。
【図９】カメラ部をスライドさせながら操作部に取り付けていく様子を時間の経過順（（ａ）〜（ｂ））に示した断面図。
【図１０】図９から続くカメラ部をスライドさせながら操作部に取り付けていく様子を、時間の経過順（（ａ）〜（ｂ））に示した断面図。
【発明を実施するための形態】
【００１０】
以下、本発明を適用したカメラの実施形態について、図面を参照しながら説明する。図１は、本発明を適用したカメラの図であり、風景撮り状態にあるカメラの斜視図である。図２は、本発明を適用したカメラの図であり、自撮り状態にあるカメラの斜視図である。本明細書におけるカメラ１は、人物、風景等の映像を撮るための撮像装置である。ここで、映像には静止画及び動画が含まれる。
【００１１】
（カメラ１の概略構成）
図１及び図２に示すように、カメラ１は、カメラ部１０と、カメラ部１０に取付け及び取り外しが可能（着脱可能）な操作部２０とを備えている。
【００１２】
カメラ部１０は、筐体１１内部に撮像素子やレンズ群（共に不図示）を有するカメラの本体部である。カメラ部１０の表面１０ａにはレンズ１２が設けられており、レンズ１２を通して内部に入射した光を撮像素子（不図示）で読み取って撮像する。また、カメラ部１０のレンズ１２が設けられていない面は、カメラ部１０の裏面１０ｂである。
【００１３】
操作部２０は、概ね直方体状に形成されている。図２に示すように、操作部２０の表面２０ａには、タッチパネル式の液晶モニタ２５が設けられている。また、図１に示す側面２０ｃには、カメラ部１０から操作部２０を取り外すためのリリースボタン２１が設けられている。また、図２に示す側面２０ｄには、シャッタボタン２２、ムービボタン２３、電源ボタン２４が設けられている。なお、表面２０ａの反対側の面は、操作部２０の裏面２０ｂである。
【００１４】
カメラ部１０には、図１に示すようにレンズ１２と液晶モニタ２５とが反対の方向を向くように操作部２０を接続することができるとともに、図２に示すようにレンズ１２と液晶モニタ２５とが同じ方向を向くように操作部２０を接続することができる。図１に示すカメラ１の状態は、ユーザが液晶モニタ２５（図１では不図示）を見ながら前方を撮像できることから、風景撮り状態である。一方、図２に示すカメラ１の状態は、ユーザが液晶モニタ２５を見ながら自身を撮影できることから、自撮り状態である。
【００１５】
（カメラ１の着脱機構）
カメラ１は、カメラ部１０に操作部２０を取り付けたり取り外したりすることを可能とする着脱機構を備えている。このカメラ１の着脱機構について、以下で詳細に説明する。図３は、図１中の矢印ＩＩＩから見たカメラの側面図である。図４は、図３中の切断線ＩＶ−ＩＶで切断したカメラの断面図である。図５は、図３中の矢印Ｖからみたカメラ部１０の着脱機構に着目した斜視図である。図６は、図３中の矢印ＶＩからみた操作部２０の着脱機構に着目した斜視図である。なお、図３においては、カメラ１の着脱機構が理解できるように、分離させたカメラ部１０と操作部２０とを図示している。また、図３に示す切断線ＩＶ−ＩＶは、凹レール３０及び凸レール４０の中心を通る切断線である。後述するように、凹レール３０及び凸レール４０は、切断線ＩＶ−ＩＶで示す中心線に対して概ね線対称の断面形状を有している。
【００１６】
図４に示すように、カメラ部１０には、押圧部３４と、三角突起３５と、三角突起３５を付勢するばね３６とが組み込まれている。これらの各部材は、ねじ３７で固定された凹レール３０によってカメラ部１０に押えつけられている。また、図５に示すように、カメラ部１０の当接面１１ａには、操作部２０に設けられた図６に示す検出スイッチ４５（図６）と嵌合する嵌合孔１１ｃが形成されている。
【００１７】
凹レール３０は、第１ガイドレールとして図４、５に示すように、カメラ部１０の本体にねじ止めされたベース部３１と、ベース部３１の両サイドから立設した立設部３２と、立設部３２の縁部から内側に向けて突出したフランジ部３３とを有している。これにより、凹レール３０内には、図６に示す凸レール４０のフランジ部４０ｂを収容するための空間が形成されている。フランジ部３３は、凹レール３０に挿入された凸レール４０（図６）が抜け出るのを防止する。これにより、凹レール３０は、四角管の一部（２つのフランジ３３の間の部分）が全長にわたって除去されたような形状を有している。ベース部３１には、ねじ３７を通すための４つのねじ挿通孔３１ａと、押圧部３４をベース部３１から突出させるための２つの切欠き３１ｂと、三角突起３５をベース部３１から突出させるための２つの開口３１ｃ（図５）とが形成されている。また、フランジ部３３の長手方向における中央部には、図６に示す固定部材４６と嵌合する嵌合部としての切欠き３３ａが形成されている。
【００１８】
押圧部３４は、エストラマからなり、凹レール３０の端部に１つずつ設けられている。押圧部３４の一部は、図４に示すように、凹レール３０のベース部３１から突出している。また押圧部３４の角部には、図６に示す被押圧部４３ａ及び被押圧部４３ｂへの乗り上げを容易にするための斜め方向にカットされたカット面３４ａが形成されている。
【００１９】
三角突起３５は、先端に向けて細くなった三角形状部を有している。三角突起３５は、図４に示すばね３６により凹レール３０に向けて付勢されており、その先端が凹レール３０のベース部３１から突出している。三角突起３５は、図５に示すように、凹レール３０の長手方向に沿って二つ配置されており、カメラ部１０の表面１０ａに寄った位置に設けられている。
【００２０】
図６に示すように、操作部２０には、カメラ部１０に設けられた凹レール３０に挿入され接続される凸レール４０と、カメラ１が風景撮り状態にあるか自撮り状態にあるかを検出するための検出スイッチ４５と、カメラ部１０に取り付けられた操作部２０を固定して取付け状態を維持するための固定部材４６と、押圧操作されたリリースボタン２１に連動する図７に示す従動部材４８とが設けられている。
【００２１】
凸レール４０は、第２ガイドレールとして図４及び図６に示すように、操作部２０の当接面２０ｅから立設した立設部４０ａと、立設部４０ａから両サイドに張り出したフランジ部４０ｂとを有しており、概ねＴ字状の断面を有している。凸レール４０は、ねじ４１により操作部２０の当接面２０ｅにねじ止めされている。
【００２２】
操作部２０に設けられた凸レール４０のフランジ部４０ｂを、カメラ部１０に設けられた凹レール３０に端部から挿入していくことで、凹レール３０と凸レール４０とを組み合わせることができる。カメラ部１０と操作部２０とが所定の位置関係まで凸レール４０を挿入していくことで、操作部２０のカメラ部１０への取り付けが完了する。なお、凹レール３０と凸レール４０とを長手方向に垂直な平面で切断した際の断面形状は、中心線（図３に示す切断線ＩＶ−ＩＶ）に対して概ね線対称となっている。そのため、図１に示す風景撮り状態とする接続と、図１の風景撮り状態から操作部２０を１８０°向きを変えた図２に示す自撮り状態とする接続とは、同様の作業で実現することができる。
【００２３】
図６に示す凸レール４０の上面には、上方に突出した線状突起４２ａ、４２ｂが凸レール４０の長手方向に沿って形成されている。線状突起４２ａには、風景撮り状態（図１）としてカメラ部１０に操作部２０が取り付けられた際に、図５に示す三角突起３５の先端が当接する。一方、線状突起４２ｂには、自撮り状態（図２）としてカメラ部１０に操作部２０が取り付けられた際に、図５に示す三角突起３５の先端が当接する。このように、線状突起４２ａは、風景撮り状態（図１）のときに使用され、線状突起４２ｂは自撮り状態（図２）のときに使用される。
【００２４】
図６に示す凸レール４０は、両端に被押圧部４３ａ及び被押圧部４３ｂを有するとともに、被押圧部４３ａと被押圧部４３ｂとの間に凹面４７を有している。被押圧部４３ａ、４３ｂは、カメラ部１０と操作部２０との接続が完了した際に、カメラ部１０の押圧部３４に対応する位置に設けられた押圧部３４に押圧される部位である。凹面４７は、図４に示すように、被押圧部４３ａから中央に向かうにつれて徐々に窪み量が増大する曲面４７ａと、被押圧部４３ｂから中央に向かうにつれて徐々に窪み量が増大する曲面４７ｂと、曲面４７ａと曲面４７ｂとを接続する平坦な平坦面４７ｃとを有している。これにより、被押圧部４３ａと被押圧部４３ｂとの間に、凹部５１が形成されている。
【００２５】
検出スイッチ４５は、図６に示すように、図示しないばねにより付勢されており操作部２０の当接面２０ｅから突出している。カメラ１が図１に示す風景撮り状態にある場合、検出スイッチ４５は、図５に示す当接面１１ａに形成された嵌合孔１１ｃに嵌り、突出した状態となる。この時、検出スイッチ４５はＯＦＦ状態となり、カメラ１は検出スイッチ４５の出力結果に基づいて、撮像モードを風景撮りモードに設定する。一方、図５に示す当接面１１ｂには嵌合孔は形成されていない。そのため、カメラ１が図２に示す自撮り状態にある場合、検出スイッチ４５は、図５に示す当接面１１ｂに押圧されて引っ込んだ状態となる。この時、検出スイッチ４５の状態はＯＮ状態となり、カメラ１は検出スイッチ４５の出力結果に基づいて、撮像モードを自撮りモードに設定する。撮影モードを自撮りモードに設定する場合、カメラ１は、左右を反転させた撮影映像を液晶モニタ（図２）に表示するとともに、撮影された人物の肌が綺麗に見えるようにする美肌処理を実行し、自撮りに特化した機能をＯＮにする。
【００２６】
固定部材４６は、図６に示すように、その一部が操作部２０の当接面２０ｅから突出している。この固定部材４６の突出した部位が、図５に示すカメラ部１０の切欠き３３ａに嵌りこむことにより、操作部２０が固定されてカメラ部１０と操作部２０との接続状態が維持される。固定部材４６の詳細については、図７及び図８を参照しながら説明する。図７は、図６中の矢印ＶＩＩからみた操作部２０の図である。図８は、固定部材の動作を説明するための図であり（ａ）は固定部材の突出部が押圧されて引っ込んだ状態にあるときの図、（ｂ）はリリースボタンが押圧されて固定部材が引っ込んだ状態にあるときの図である。なお、図７においては、操作部２０内部の構成が理解できるように、操作部２０の外面の一部の図示を省略している。
【００２７】
固定部材４６は、図７に示すように、当接面２０ｅから突出した丸みを帯びた突出部４６ａと、右下に傾斜した傾斜面を有する傾斜部４６ｂと、図中上下方向に延びるスライド突起４６ｃとを有している。図７に示す固定部材４６は、弾性部材であるばね５０により、操作部２０の当接面２０ｅの方向（図中上方向）に付勢された状態にある。これにより、操作部２０がカメラ部１０に取り付けられていない場合、固定部材４６の一部は当接面２０ｅから突出した状態のまま保持される。このように突出した突出部４６ａを先端に向けて丸みを帯びた形状とすることにより、スライドしてきてぶつかる凹レール３０（図５）によって突出部４６ａをスムーズに押下げることができる。これにより、図８（ａ）に示すように、突出部４６ａを当接面２０ｅから引っ込んだ状態とすることができる。なお、スライド突起４６ｃは、操作部２０に形成された上下方向に延びるスライド溝（不図示）に挿入されている。これにより、固定部材４６は、矢印Ｙ１に沿った方向のみ移動可能である。
【００２８】
従動部材４８は、固定部材４６の傾斜部４６ｂと相対する傾斜部４８ａと、図中左右方向に延びるスライド突起４８ｂとを有している。従動部材４８は、リリースボタン２１に接続されており、押圧操作されたリリースボタン２１の動きに連動する。従動部材４８は、弾性部材であるばね４９により、リリースボタン２１側に付勢された状態にある。これにより、ばね４９の付勢力に抗してリリースボタン２１が押し込まれると、従動部材４８はスライド突起４８ｂが延びるＹ２の方向（図中左方向）に沿って移動する。なお、傾斜部４８ａは、固定部材４６の傾斜部４６ｂと合致する形状を有している。そのため、図中左側に移動する従動部材４８は、傾斜部４８ａを固定部材４６の傾斜部４６ｂに滑らせながら固定部材４６を押下げていく。これにより、図８（ｂ）に示すように、固定部材４６の突出部４６ａを当接面２０ｅから引っ込ませた状態とすることができる。
【００２９】
（カメラ部１０と操作部２０との接続について）
次に、カメラ部１０と操作部２０とを接続する様子を図９及び図１０を参照しながら説明する。図９は、カメラ部をスライドさせながら操作部に取り付けていく様子を時間の経過順（（ａ）〜（ｂ））に示した断面図である。また、図１０は、図９から続くカメラ部をスライドさせながら操作部に取り付けていく様子を、時間の経過順（（ａ）〜（ｂ））に示した断面図である。なお、カメラ部１０を操作部２０に対してスライドさせることと、操作部２０をカメラ部１０に対してスライドさせることとは、カメラ部１０と操作部２０とを接続するための動作としては同じである。そこで、図９及び図１０を参照する場合には、着脱動作は、操作部２０に対してカメラ部１０をスライドさせることで行われるものとして説明する。また、図９及び図１０に示す断面図は、図４で示す断面図と同じ切断位置で切断した断面図を示している。すなわち、図９及び図１０においては、風景撮り状態となるようにカメラ部１０と操作部２０とが接続されていく様子を示している。
【００３０】
風景撮り状態となるようにカメラ部１０と操作部２０と接続する場合、図１に示すように、カメラ部１０のレンズ１２と操作部２０の液晶モニタ２５（図２）とが反対の方向を向くように配置する。そして、操作部２０の凸レール４０の端部から、カメラ部１０の凹レール３０を挿入していく。やがて、押圧部３４のカット面３４ａが凸レール４０に当たり、押圧部３４が押し上げられていく。そして、図９（ａ）に示すように、押圧部３４が凸レール４０の被押圧部４３ａに乗り上げた状態となる。この時、押圧部３４は、カメラ部１０と操作部２０との間で圧縮された状態にある。
【００３１】
図９（ａ）に示す状態から、カメラ部１０をさらに図中右方向にスライドさせると、図９（ｂ）に示すように、押圧部３４は、被押圧部４３ａを通り過ぎる。上述したように、被押圧部４３ａよりも中央寄りには、被押圧部４３ａよりも窪んだ凹部５１が形成されている。そのため、被押圧部４３ａを通り過ぎた押圧部３４は、凹部５１に浮いた状態となり、他の部材と接触していない状態となる。
【００３２】
図９（ｂ）に示す状態から、カメラ部１０をさらに図中右方向にスライドさせる。このとき、カメラ部１０は、図１０（ａ）に示すように、三角突起３５の先端が線状突起４２ａを押さえつけた状態のままスライドしていく。
【００３３】
図１０（ａ）に示す状態から、カメラ部１０をさらに図中右方向にスライドさせる。すると、図１０（ｂ）に示すように、凹レール３０の両端部に設けられた押圧部３４のうち、図中右側の押圧部３４は、被押圧部４３ｂに乗り上げてカメラ部１０と操作部２０との間に圧縮された状態でスライドを止めるように介在する。これにより押圧部３４は、被押圧部４３ｂを押圧する。また、図中左側の押圧部３４は、被押圧部４３ａに乗り上げてカメラ部１０と操作部２０との間に圧縮された状態でスライドを止めるように介在する。これにより押圧部３４は、被押圧部４３ａを押圧する。このように、図１０（ｂ）の状態になるまでカメラ部１０をスライドさせると、図６に示す固定部材４６が図５に示す切欠き３３ａに嵌りこむ。これにより、図１０（ｂ）に示すカメラ部１０と操作部２０との位置関係が固定され、風景撮り状態としてのカメラ部１０と操作部２０との接続が完了する。
【００３４】
このように、風景撮り状態としてカメラ部１０と操作部２０との接続が完了すると、図６に示す検出スイッチ４５は、図５に示すカメラ部１０の当接面１１ａに形成された嵌合孔１１ｃに嵌り、突出した状態となる。この時、検出スイッチ４５の状態はＯＦＦ状態となり、カメラ１は撮像モードを風景撮りモードに設定する。
【００３５】
カメラ部１０から操作部２０を取り外す場合、まず、図８（ｂ）に示すように、リリースボタン２１を押圧操作することで固定部材４６を押下げる。これにより、固定部材４６が図５に示す切欠き３３ａから抜け出て、カメラ部１０と操作部２０との固定状態が解除される。続いて、カメラ部１０をスライドさせることで、操作部２０から取り外すことができる。なお、カメラ部１０が操作部２０から取り外されていくときの着脱機構の様子は、カメラ部１０を取り付ける場合と反対の経過を辿るため、詳細な説明は省略する。
【００３６】
一方、自撮り状態となるようにカメラ部１０と操作部２０とを接続する場合、風景撮り状態として接続する場合から操作部２０の向きを１８０度変える。なお、凹レール３０と凸レール４０とを長手方向に垂直な平面で切断した際の断面形状は、中心線（図３に示す切断線ＩＶ−ＩＶ）に対して概ね線対称となっている。そのため、自撮りモードで接続する場合も、風景撮りモードと同様に、操作部２０に対してカメラ部１０をスライドさせて、図９〜図１０で示す経過を辿って、カメラ部１０と操作部２０との接続が完了する。
【００３７】
自撮り状態としてカメラ部１０と操作部２０との接続が完了すると、図６に示す検出スイッチ４５は、図５に示すカメラ部１０の当接面１１ｂに押圧されて引っ込んだ状態となる。この時、検出スイッチ４５の状態はＯＮ状態となり、カメラ１は撮影モードを自撮りモードに設定する。
【００３８】
自撮り状態での撮影が完了し、カメラ部１０から操作部２０を取り外す場合には、リリースボタン２１を押圧操作してカメラ部１０と操作部２０との固定状態を解除する。そして、カメラ部１０をスライドさせることにより、カメラ部１０を操作部２０から取り外すことができる。
【００３９】
（実施形態の効果について）
以上説明したように、本発明を適用したカメラ１においては、押圧部３４を凹レール３０の両端部に設けている。これにより、凹レール３０の両端部に設けられた押圧部３４で凸レール４０を押圧することができるため、凹レール３０と凸レール４０との間のがたつきを抑えることができ、撮像する際にぶれなどが生じずに安定した状態で撮影することができる。また、押圧部３４は、カメラ部１０と操作部２０とがスライドする際に負荷を与えるように凸レール４０を押圧することから、カメラ部１０と操作部２０との接続状態を維持することができる。
【００４０】
また、押圧部３４を弾性材料であるエラストマから形成していることから、押圧部３４に適切な押圧力を作用させることができる。これによりカメラ部１０と操作部２０との間のがたつきを抑えることができる。また、カメラ部１０と操作部２０との着脱を繰り返し行ったとしても、押圧部３４に破損が生じにくい。
【００４１】
また、凸レール４０には、押圧部３４によって押圧される被押圧部４３ａ、４３ｂが両端に形成されているとともに、被押圧部４３ａと被押圧部４３ｂとの間には凹部５１が形成されている。これにより、カメラ部１０と操作部２０とを接続する際、一端に形成された押圧部３４は、最初に接触する被押圧部４３ａ及び被押圧部４３ｂのうちの一方を乗り越えれば、被押圧部４３ａ及び被押圧部４３ｂのうちの他方に到達するまで、他の部材と何ら接触することがない。すなわち、押圧部３４は、被押圧部４３ａと被押圧部４３ｂとの間に形成された凹部５１（図４）を通過している間、他の部材と接触することがない。同様に、カメラ部１０と操作部２０との接続を解除するためにカメラ部１０をスライドさせる場合、押圧部３４が被押圧部４３ａと被押圧部４３ｂとの間に形成された凹部５１を通過する間、他の部材と接触することがない。そのため、凸レール４０との摩擦によって押圧部３４が摩耗したり破損したりするのを抑制することができる。また、カメラ部１０をスライドさせる際の押圧部３４と凸レール４０と摩擦を低減することができるため、スライドさせる際の負荷が低減され、カメラ部１０と操作部２０との着脱作業をスムーズに行うことができる。
【００４２】
また、カメラ部１０と操作部２０とが接続されている場合、凸レール４０は、凹レール３０の両端部に設けられた押圧部３４で押圧されている。そのため、凸レール４０と押圧部３４とは密着した状態にあり、凹レール３０及び凸レール４０の内部に塵やほこりが入りこむのを抑制することができる。このように、凹レール３０の両端部に設けられた押圧部３４に、防塵機能を発揮させることができる。
【００４３】
また、カメラ１は、カメラ部１０と操作部２０との接続状態を維持する固定部材４６を備えているため、撮影中にカメラ部１０と操作部２０と分離してしまうといった不具合を防止することができる。
【００４４】
また、固定部材４６は、ばね５０により付勢されており、操作部２０の当接面２０ｅから突出した状態にある。一方、カメラ部１０には、カメラ部１０と操作部２０とが接続状態となったときに固定部材４６が嵌りこむ切欠き３３ａが形成されている。そのため、カメラ部１０をスライドさせて、カメラ部１０と操作部２０とが所定の位置関係となると、自動的に固定部材４６が切欠き３３ａに嵌りこみ、接続が完了する構成となっている。これにより、カメラ部１０と操作部２０とを接続させるためには、カメラ部１０をスライドさせるだけでよく、カメラ部１０と操作部２０との着脱作業を容易に行うことができる。
【００４５】
また、図５に示す凹レール３０は、その両端が開放された状態にあり、両方向から凸レール４０の挿入を受け付ける。また、図６に示す凸レール４０も、両方向から凹レール３０の挿入を受け付ける。そのため、スライド方向を気にすることなくカメラ部１０と操作部２０との着脱作業を行うことができる。
【００４６】
また、カメラ部１０の２箇所にばね３６で付勢された三角突起３５を設け、この三角突起３５で操作部２０に形成された線状突起４２ａ、４２ｂを押圧している。これにより、カメラ部１０と操作部２０との間のがたつきを抑制することができる。
【００４７】
また、操作部２０に当接面２０ｅから突出した検出スイッチ４５を設け、風景撮り状態でカメラ部１０と操作部２０とを接続した場合にのみ検出スイッチ４５が嵌る嵌合孔１１ｃを設けている。これにより、検出スイッチ４５のＯＮ／ＯＦＦ状態から、カメラ部１０と操作部２０とが風景撮り状態として接続されたのか、自撮り状態として接続されたのかを判別することができる。
【００４８】
また、カメラ１は、検出スイッチ４５のＯＮ／ＯＦＦ状態に基づいて、撮影モードを風景撮りモードとするか自撮りモードとするかを選択する。これにより、ユーザは、カメラ部１０と操作部２０との接続を完了した後は、撮影モードを選択する必要がなく、即座に所望の撮影モードでの撮影をすることができる。
【００４９】
（他の形態について）
この発明は、上記実施の形態に限定されず、様々な変形及び応用が可能である。上述の実施の形態では、カメラ１に設けられた着脱機構として、凹レール３０がカメラ部１０に取り付けられ、凸レール４０が操作部２０に取り付けられた形態について説明した。しかしながら、着脱機構の各構成要素の取付け位置は任意に決定することができ、例えば、凸レールをカメラ部に、凹レールを操作部に取り付ける構成としてもよい。また、押圧部３４、三角突起３５、検出スイッチ４５、及び固定部材４６の設置箇所も任意に決定することができ、上記形態に限定されるものではない。
【００５０】
また、上記実施の形態では、被押圧部４３ａと被押圧部４３ｂとの間に形成された凹面４７は、中央に向かうにつれて徐々に窪み量が増大する曲面４７ａ、４７ｂと、曲面４７ａと曲面４７ｂとを接続する平坦な平坦面４７ｃとを有していると説明した。しかしながら、被押圧部４３ａと被押圧部４３ｂとの間は、押圧部３４との接触が避けられる態様であればよく、被押圧部４３ａ、４３ｂから垂直に段落ちした凹部を形成するようにしてもよい。
【００５１】
また、上記実施の形態では、着脱機構を用いてカメラ部１０に操作部２０を着脱する形態について説明したが、着脱機構の使用はカメラに限定されるものではない。例えば、電化製品とそのバッテリとの取り付け取り外しのための機構として、本発明の着脱機構を採用してもよい。また、既設の機器に増設の機器を接続するための機構として、本発明の着脱機構を採用してもよい。この場合、押圧部、三角突起、及び固定部材等の構成を、予め凸レール及び凹レールに組み込んでおくことが好ましい。これにより、着脱機構を備えた凸レール及び凹レールを、様々な機器に取り付けて接続していくことができる。
【００５２】
その他、上記実施の形態で示した構成などの具体的な細部は、本発明の趣旨を逸脱しない範囲において適宜変更可能である。
【００５３】
本発明のいくつかの実施形態を説明したが、本発明の範囲は、上述の実施の形態に限定するものではなく、特許請求の範囲に記載された発明の範囲とその均等の範囲を含む。以下に、この出願の願書に最初に添付した特許請求の範囲に記載した発明を付記する。付記の番号は、この出願の願書に最初に添付した特許請求の範囲の通りである。
【００５４】
（付記）
（付記１）
第１機器と第２機器とを着脱するための着脱機構であって、
前記第１機器に設けられる第１ガイドレールと、
前記第２機器に設けられ、前記第１ガイドレールの端部から挿入し該第１ガイドレールに沿ってスライドさせていくことにより該第１ガイドレールと接続される第２ガイドレールと、
前記第１機器に設けられ、前記第２ガイドレールをスライドさせる際に負荷を与えるように該第２ガイドレールを押圧する押圧部と、を備え、
前記第２ガイドレールには、前記第１ガイドレールに沿って該第２ガイドレールをスライドさせていく過程で、前記押圧部により押圧される被押圧部と、前記被押圧部よりも窪んだ部分であり前記押圧部が接触しない凹部とが形成されている、
ことを特徴とする着脱機構。
【００５５】
（付記２）
前記押圧部は、弾性材料から形成された突起部である、
ことを特徴とする付記１に記載の着脱機構。
【００５６】
（付記３）
前記押圧部は、前記第１ガイドレールの両端に設けられている、
ことを特徴とする付記１又は２に記載の着脱機構。
【００５７】
（付記４）
前記被押圧部は、前記第１ガイドレールと前記第２ガイドレールとが接続されたときに、前記第１ガイドレールの両端に設けられたそれぞれの前記押圧部に対応する位置に設けられており、
前記凹部は、前記被押圧部間に設けられている、
ことを特徴とする付記３に記載の着脱機構。
【００５８】
（付記５）
前記第１機器及び前記第２機器のうちの一方の機器に設けられ、前記第１ガイドレールと前記第２ガイドレールとが接続された状態を維持する固定部材を備える、
ことを特徴とする付記１乃至４のいずれか１つに記載の着脱機構。
【００５９】
（付記６）
前記固定部材は、弾性部材により前記一方の機器から突出する方向に付勢されている、
ことを特徴とする付記５に記載の着脱機構。
【００６０】
（付記７）
前記第１機器及び前記第２機器のうちの他方の機器に設けられ、前記第１ガイドレールと前記第２ガイドレールとが接続されたときに前記固定部材が嵌合する嵌合部を備える、
ことを特徴とする付記５又は６に記載の着脱機構。
【００６１】
（付記８）
前記第２ガイドレールは、前記第１ガイドレールの両端部から挿入可能であり、
挿入させた前記第２ガイドレールを、該第１ガイドレールに沿ってスライドさせることで該第１ガイドレールと接続させることができる、
ことを特徴とする付記１乃至７のいずれか１つに記載の着脱機構。
【００６２】
（付記９）
付記１乃至８のいずれか１つに記載の着脱機構を備える撮像装置であり、
前記第１機器は、撮像部及び前記撮像部を操作するための操作部のうちの一方であり、
前記第２機器は、前記撮像部及び前記操作部のうちの他方である、
ことを特徴とする撮像装置。
【００６３】
（付記１０）
前記着脱機構によって、前記操作部が前記撮像部に第１状態で取り付けられているか、あるいは、前記操作部が前記第１状態とは反対の方向を向いた第２状態で前記撮像部に取り付けられているか、を検出するスイッチを備える、
ことを特徴とする付記９に記載の撮像装置。
【符号の説明】
【００６４】
１・・カメラ、１０・・カメラ部、１０ａ・・表面、１０ｂ・・裏面、１１・・筐体、１１ａ，１１ｂ・・当接面、１１ｃ・・嵌合孔、１２・・レンズ、２０・・操作部、２０ａ・・表面、２０ｂ・・裏面、２０ｃ，２０ｄ・・側面、２０ｅ・・当接面、２１・・リリースボタン、２２・・シャッタボタン、２３・・ムービボタン、２４・・電源ボタン、２５・・液晶モニタ、３０・・凹レール、３１・・ベース部、３１ａ・・ねじ挿通孔、３１ｂ・・切欠き、３１ｃ・・開口、３２・・立設部、３３・・フランジ部、３３ａ・・切欠き、３４・・押圧部、３４ａ・・カット面、３５・・三角突起、３６・・ばね、３７・・ねじ、４０・・凸レール、４０ａ・・立設部、４０ｂ・・フランジ部、４１・・ねじ、４２ａ，４２ｂ・・線状突起、４３ａ，４３ｂ・・被押圧部、４５・・検出スイッチ、４６・・固定部材、４６ａ・・突出部、４６ｂ・・傾斜部、４６ｃ・・スライド突起、４７・・凹面、４７ａ，４７ｂ・・曲面、４７ｃ・・平坦面、４８・・従動部材、４８ａ・・傾斜部、４８ｂ・・スライド突起、４９，５０・・ばね、５１・・凹部
【図１】
2019168503.tif 000003
【図２】
2019168503.tif 000004
【図３】
2019168503.tif 000005
【図４】
2019168503.tif 000006
【図５】
2019168503.tif 000007
【図６】
2019168503.tif 000008
【図７】
2019168503.tif 000009
【図８】
2019168503.tif 000010
【図９】
2019168503.tif 000011
【図１０】
2019168503.tif 000012